(57)【要約】バレル（１１）および分割プラグ（１２）を備え、鉛筆（１４）を収容することができる貫通通路（１３）を形成している本体組立体（１０）を含む筆記用具用アクセサリ。バレル（１１）は、一組の対向スロット（１７）を備える分割プラグ（１２）の雄ねじ部（１６）と係合することができる雌ねじ山端部（１５）を備える。各ねじ部（１５）および（１６）は、緩やかなテーパ状をしていて、バレル（１１）との分割プラグ（１２）のねじ山による係合により、それにより鉛筆（１４）が保持されるようにスロット（１７）を閉鎖させる。バレル（１１）はポケット用クリップ（２０）を備える。
2004520983.tif 000002
【特許請求の範囲】
【請求項１】
筆記用具を軸方向に収容することができる通路を有する管状の本体と、
前記本体における前記筆記道具の筆記位置方向に配置され、前記通路内にて前記筆記用具を軸方向に対して選択的に保持する保持手段と、を備え、
前記筆記用具をユーザによる筆記位置に保持する筆記用具用アクセサリ。
【請求項２】
前記通路が前記本体を貫通して伸延する孔部を備える、請求項１に記載のアクセサリ。
【請求項３】
前記本体がポケット用クリップを含む、請求項１に記載のアクセサリ。
【請求項４】
さらに、保持する筆記用具の筆記用先端部を保護するための手段を含む、請求項１に記載のアクセサリ。
【請求項５】
前記保護手段がキャップである、請求項４に記載のアクセサリ。
【請求項６】
前記本体が握り部分を含む、請求項１に記載のアクセサリ。
【請求項７】
前記保持手段が前記本体と一体になっている、請求項１に記載のアクセサリ。
【請求項８】
前記保持手段が前記本体と一体になっているコレットを含む、請求項７に記載のアクセサリ。
【請求項９】
前記保持手段が前記本体とは別に形成されおり、前記本体と係合する保持部材を含み、前記保持部材が前記本体と係合した場合に、前記筆記用具を当該保持部材により保持する、請求項１に記載のアクセサリ。
【請求項１０】
前記保持部材が雄ねじ部を有する分割プラグであって、前記通路が当該雄ねじ部とねじ山で係合する雌ねじ部を有する、請求項９に記載のアクセサリ。
【請求項１１】
請求項１に記載のアクセサリおよび筆記用具を備える筆記用具組立体。
【請求項１２】
前記筆記用具が木製の鉛筆である、請求項１１に記載の筆記用具組立体。
【発明の詳細な説明】
【技術分野】
【０００１】
本発明は、筆記用具用アクセサリに関する。
【０００２】
本発明は、主に鉛筆用のホルダー・アクセサリに適用されるが、必ずしもこれに限定されるわけではなく、例えば、ボールペン、他のペン、手で持って書いたり切断したりするための用具のような他の用途にも適用で切るものである。
【背景技術】
【０００３】
大量生産の木製の鉛筆は安価であり、簡単な鉛筆削りで容易に削ることができる。このような鉛筆の断面は、通常、円か六角形であり、そのほとんどの部分はどのような形をしていても標準サイズに作られる。
【発明の開示】
【発明が解決しようとする課題】
【０００４】
鉛筆を削ると、鉛筆の長さは短くなり、削っているうちに非常に短くなって持ちにくくなる。ある人はこのように短くなった鉛筆を使用することができないし、ある人はこのような鉛筆を使いたがらなかったり、使い切らない前に捨ててしまう。
【課題を解決するための手段】
【０００５】
ある態様においては、本発明は、広い意味で、本体を貫通する筆記用具を軸方向に収容することができる通路を有する管状本体と、
上記本体に関連し、その内部の筆記用具の書くための先端に向かって配置され、上記通路内で軸方向位置に筆記用具を選択的に保持することができ、それによりユーザが、使用中、アクセサリおよび保持している筆記用具を筆記位置に保持することができる保持手段とを含む筆記用具用のアクセサリである。
【０００６】
本体は任意の適当な形をとることができる。ペンおよび芯を押し出す鉛筆のような筆記用具は、予め輪郭が形成された握り部分を有するように製造することができるが、鉛筆をこのように製造することは実際には不可能である。それ故、本体の外面の最小の部分に握り面を形成することが好ましい。握り面は、ユーザが本体を容易に握ることができるようにする、および／またはユーザが快適に使用することができるようにする任意の適当なデザインにすることができる。握り面は、模様をつけたりおよび／または輪郭をつけたりすることができる。別の方法としては、または追加的に、握り面は、弾性プラスチック材料のような弾性材料から作ることができる。
【０００７】
本体は任意の適当な長さにすることができる。本体はプラスチックまたは金属材料から作ると有利である。通常、本体はポリオレフィンのような熱可塑性材料から形成される。好適には、本体の長さは、使用中、保持している筆記用具を快適に保持するための最小の長さから標準的な鉛筆とほぼ同じ長さまでの間である。通常の長さは約１００ｍｍから約１７０ｍｍの範囲内である。
【０００８】
通路は、本体を貫通する孔部を備えることもできるし、または入り口および出口を限度とする本体内の空間を備えることもできる。孔部の少なくとも一部は、保持する筆記用具の外面を補足する形をしている。例えば、孔部の断面は、どちらかと言えば標準寸法の丸い筆記用具を収容するように丸くすることもできるし、断面が六角形の筆記用具を収容するように六角形にすることもできる。さらに他の実施形態の場合には、通路をある形にして、それにより丸い筆記用具および六角形の筆記用具の両方を収容するようにすることもできる。
【０００９】
アクセサリは筆記用具の書くための先端の方向に配置されていて、通路内の軸方向の位置内に筆記用具を選択的に保持することができる保持手段を含む。これにより、本体は異なる長さの種々の筆記用具を収容することもできるし、および／またはその長さが使用中に変化する木製の鉛筆のような筆記用具も収容することができる。
【００１０】
保持手段は、通路内に筆記用具を保持するために、筆記用具の側面上に当たることができる弾性バイアス手段を備えることができる。例えば、保持手段は、握り面を有する環状スプリング等を備えることができ、それにより、スプリングを通して筆記用具をそのバイアスに抗して挿入すると、握り面が所望の位置に達した場合、押しつけられて側面と係合することになる。
【００１１】
別の方法としては、保持手段は、使用中、筆記用具の側壁の方向に片寄らせることができる組み立てた、または一体に形成された刻み付き部材を備えることができる。木製の鉛筆の場合には、刻みはラチェットのように方向性を有することができ、それにより書くための先端が所望するだけ他方の端部から突き出るまで、通路の一方の端部から鉛筆を挿入することができる。しかし、鉛筆の木製の部分に刻みが突き当たると、使用中の鉛筆は通路に沿ってスライドできなくなる。
【００１２】
さらに他の実施形態の場合には、保持手段は、本体と一体に形成されているか、または本体に組み込まれていて、筆記用具の側壁上にコレットを選択的に締め付けるためのコレット閉止手段と協力することができる分割コレット等を備えることができる。例えば、本体部材を、一体型コレットを供給するために、通路の書くための先端から分割することができる。コレット閉止手段は、本体上またはコレット閉止スリーブ内にテーパ状のねじ山を備えることができる。別の方法としては、分割部分の周囲の本体の外面をテーパ状にして、それにより本体上の外部スリーブとテーパ状の部分との間の摩擦係合により鉛筆を保持する。
【００１３】
分割部分は、一カ所でもよいし、数カ所でもよい。例えば、分割部分は、本体の周囲に対称に配置されている一組のスロットを備えることができる。別の方法としては、または特に、六角形の通路の場合には、分割部分は六角形の対照的な選択された平らな部分の中心に沿って配置されている２つまたは３つのスロットを備えることができる。
【００１４】
通路の内面はコレット装置の保持機能を強化するために、握り面と一緒に構成することができる。
【００１５】
スリーブは快適な保持部分として構成することができる。別の方法としては、快適な保持部分を本体上で一体に形成することもできるし、または本体に組み込むこともできる。快適な保持部分は、弾性物質で作ることができる。
【００１６】
別の方法としては、保持手段を本体とは別に形成し、本体から取り外すことができるように係合させることができる分割プラグの形に形成することもできる。
【００１７】
鉛筆および固定点を有するほかの筆記用具のような筆記用具は、本来危険なものであるか、または使用していない場合、先端が損傷を受けやすい。例えば、鉛筆をポケットに入れておくと、衣服に孔が開いたり、着ている人を傷つけたりする。それ故、本装置を好適に構成し、それにより筆記用具の先端が、使用していない場合、通路の内部に引っ込むようにすることができる。例えば、保持手段の位置を、短くなった鉛筆を使用することができるように、使用中、通路の先端の開口部近くに鉛筆を保持しながら、書くための先端が丁度通路内に入った場合に、全直径が保持されるようにすることができる。別の方法としては、その引っ込んだ位置に筆記用具を保持するための別の保持手段を本体に取り付けることもできる。
【００１８】
他の実施形態の場合には、使用していない場合、筆記用具の先端上を延びることができるスリーブを本体に取り付けることができる。別の方法としては、書くための先端用の独立しているキャップを取り付けることができる。
【００１９】
本体に、環状挿入消しゴムのような他の機能を供給することができる。例えば、本体部材の周囲に溝を形成し、挿入消しゴムを挿入物に係合するように、本体上を引き延ばすことができる。
【００２０】
ポケット用クリップ等を有している他の筆記用具のように、鉛筆をポケットに入れることができるようにするために、本体にポケット用クリップ等を取り付けることができる。例えば、一体に形成されているか、または組み込まれているポケット用クリップを本体に取り付けることができる。１つの実施形態の場合には、ポケット用クリップは、比較的広く、磁化ストリップを備え、それにより本装置を買い物のリスト等として使用することができるように、本装置を冷蔵庫のキャビネットのような鋼鉄面上に保持することができる。このような実施形態は、例えば、本装置が、ゴルフのスコアを記入するために、スコア・カード鉛筆と一緒に使用できる場合には特に有利である。
【００２１】
さらに広い意味で言えば、本発明は、それにより筆記用具を有する第１の広い意味での形のアクセサリを含む筆記用組立体を提供する。
【発明を実施するための最良の形態】
【００２２】
図１は、本発明のアクセサリ１０の分解図である。アクセサリ１０は、バレル１１および分割プラグ１２を備える本体組立体を含む。本体組立体は、図３に示すように、使用中鉛筆１４を収容することができる通路１３を形成する。バレルは、雌ねじ山端部１５を備える。分割リング１２は、雄ねじ山端部１６を有する。ねじ山１５は、分割プラグ１２のねじ山１６とねじ山により係合することができる。分割プラグ１２は、一組の対向スロット１７を備える。ねじ山を有する各部分１５、１６は、緩やかなテーパ状になっていて、それによりバレル１１と分割リング１２のねじ山との係合によりスロット１７が閉鎖され、それにより分割プラグのところの通路１３の断面が小さくなる。このようにして、通路１３内に保持されている鉛筆を保持することができる。
【００２３】
バレルは、ポケット用クリップ２０を備える。この実施形態の場合には、バレルは、バレル１１の閉じた端部２１によりブラインドになっている。
【００２４】
図２は、バレル１１とねじ山により係合している分割プラグ１２である。
【００２５】
使用中、分割プラグ１２を、バレル１１から緩めたり、または取り外したりすることができる。鉛筆１４は、分割プラグ１２の開口部２２を通して、外部端部を先にして挿入することができる。この実施形態の場合には、断面が六角形である鉛筆を収容するために開口部は六角形をしている。（図４は、六角形の断面をもっとはっきりと示している。）鉛筆は分割プラグ１２を通して、使用するのに必要なところまで挿入される。次に、分割プラグ１２および鉛筆はねじ山によりバレル１１と係合し、締め付けられて鉛筆１４を保持する。図４は、鉛筆１４およびアクセサリ１０を内蔵する筆記用組立体を示す。図４においては、分割リング１２の外面には、締め付けた場合にユーザが握りやすくするために模様がつけられている。
【００２６】
鉛筆を削りたい場合には、バレル１１から分割リング１２を部分的にねじを緩めることにより、分割リング１２を緩めることができる。緩めた場合、鉛筆１４を書くための先端２３の周囲で握ることができ、バレルから引っ込めることができる。
【００２７】
アクセサリは、また、使用していない場合、鉛筆の先を保護することができる別の鉛筆の先端カバー（図示せず）を備えることができる。通常、カバーはバレル１１と係合することができる。
【００２８】
図を見れば、鉛筆のような筆記用具をしっかりと効率的に保持するために、本発明のアクセサリを使用することができることがわかる。アクセサリは、事実上すべての長さの鉛筆と一緒に使用することができ、普通は捨ててしまう短くなった鉛筆またはちびた鉛筆を使用することができる。そのため鉛筆を長い間使用することができる。さらに、アクセサリは、ユーザの衣服または他の適当な表面に鉛筆を取り付けるための手段を供給する。これにより鉛筆を置き忘れる可能性が少なくなる。さらに、アクセサリは、鉛筆等の先端をカバーする手段を供給することができる。これにより、鉛筆の先端をうっかり破損したり折ってしまうのを防ぐことができ、また布地等が筆記用具の書くための先端により破損したり汚れたりするのを防止することができる。アクセサリは任意の回数再使用することができる。
【００２９】
本明細書内および特許請求の範囲内においては、「備えている」という用語および関連する「備える」という用語は包括的に使用されていて、上記整数または任意の今まで記載しなかった１つまたは複数の整数と一緒の整数を含む。
【００３０】
もちろん、本発明を今まで説明してきたが、これは例示としてのものであって、当業者であれば理解することができるように、上記実施形態への種々の修正および変更は、本明細書において説明しているように、本発明の広義の範囲および領域内に含まれるものと見なされる。
【図面の簡単な説明】
【００３１】
【図１】本発明による好適なアクセサリの分解斜視図である。
【図２】図１のアクセサリの組立斜視図である。
【図３】使用中の本発明の好適な組立体の斜視図である。
【図４】図１のアクセサリの分割プラグの断面図である。
【図１】
2004520983.tif 000003
【図２】
2004520983.tif 000004
【図３】
2004520983.tif 000005
【図４】
2004520983.tif 000006
【国際公開パンフレット】
2004520983.tif 000007
2004520983.tif 000008
2004520983.tif 000009
2004520983.tif 000010
2004520983.tif 000011
2004520983.tif 000012
2004520983.tif 000013
2004520983.tif 000014
2004520983.tif 000015
2004520983.tif 000016
2004520983.tif 000017
2004520983.tif 000018
2004520983.tif 000019
2004520983.tif 000020
2004520983.tif 000021
【手続補正書】
【提出日】平成15年12月18日(2003.12.18)
【手続補正１】
【補正対象書類名】特許請求の範囲
【補正対象項目名】全文
【補正方法】変更
【補正の内容】
【特許請求の範囲】
【請求項１】
筆記用具を軸方向に収容することができる通路を有する管状の本体と、
前記本体における前記筆記道具の筆記位置方向に配置され、前記通路内にて前記筆記用具を軸方向に対して選択的に保持する保持手段と、を備え、
前記本体は、ユーザによる前記筆記用具の書き易い筆記位置に保持する長さを有する筆記用具用アクセサリ。
【請求項２】
前記本体がポケット用クリップを含む、請求項１に記載のアクセサリ。
【請求項３】
さらに、保持する筆記用具の筆記用先端部を保護するための手段を含む、請求項１に記載のアクセサリ。
【請求項４】
前記保護手段がキャップである、請求項３に記載のアクセサリ。
【請求項５】
前記本体に等高線状の溝及び／又はギザギザが形成された握り部を含む、請求項１に記載のアクセサリ。
【請求項６】
前記通路が前記本体を貫通して伸延する孔部を備える、請求項３に記載のアクセサリ。
【請求項７】
前記保持手段が前記本体とは別に形成されおり、前記本体と係合する保持部材を含み、前記保持部材が前記本体と係合した場合に、前記筆記用具を当該保持部材により保持する、請求項１に記載のアクセサリ。
【請求項８】
前記保持部材が雄ねじ部を有する分割プラグであって、前記通路が当該雄ねじ部とねじ山で係合する雌ねじ部を有する、請求項７に記載のアクセサリ。
【請求項９】
前記保持手段が前記本体と一体になっている、請求項１に記載のアクセサリ。
【請求項１０】
前記保持手段が前記本体と一体になっているコレットを含む、請求項９に記載のアクセサリ。
【請求項１１】
請求項８に記載のアクセサリおよび筆記用具を備える筆記用具組立体。
【請求項１２】
前記筆記用具が木製の鉛筆である、請求項１１に記載の筆記用具組立体。
【国際調査報告】
2004520983.tif 000022
2004520983.tif 000023
2004520983.tif 000024